(57)【要約】【課題】ハウジングの前方に放射される発熱量を最大に増大させ、保護網が事故防止だけでなく、発熱量の増大にも効果をもたらすヒーター用保護網およびこれを用いた電気ヒーターを提供すること。【解決手段】電熱線１１を備える発熱部１と、前記発熱部１を覆うハウジング２とから構成される電気ヒーターに対し、複数個の横反射部３１と複数個の縦反射部３２とが互いに格子状に配列されて複数の通気孔３３を形成し、前記横反射部３１および縦反射部３２は、各々前記通気孔３３の前後方向に長い幅を有する保護網３を、前記ハウジング２の前方に形成された開放口２１に取り付けることにより、発熱部１から発生してハウジング２の前方に移動し、横反射部３１および縦反射部３２にぶつかった熱をハウジング２の前方に集中して反射させる。【選択図】図３
2008139006.tif 000002
【特許請求の範囲】
【請求項１】
ヒーターの前方に取り付けられる保護網において、
前記保護網は、
複数個の横反射部と複数個の縦反射部とが互いに格子状に配列されて複数の通気孔を形成し、
前記横反射部および縦反射部は、各々前記通気孔の前後方向に長い幅を有する
ことを特徴とするヒーター用保護網。
【請求項２】
前記横反射部および縦反射部は、各々保護網の中心を向くように傾斜して配置される
ことを特徴とする請求項１に記載のヒーター用保護網。
【請求項３】
発熱部と、
前記発熱部を覆い、前方に開放口が形成されたハウジングと、
前記開放口に取り付けられる保護網とから構成され、
前記保護網は、
複数個の横反射部と複数個の縦反射部とが互いに格子状に配列されて複数の通気孔を形成し、
前記横反射部および縦反射部は、各々前記通気孔の前後方向に長い幅を有する
ことを特徴とする電気ヒーター。
【請求項４】
前記保護網の横反射部および縦反射部は、各々前記発熱部に向き、その延長線上の交点が前記発熱部の後方に形成されるように傾斜して配置される
ことを特徴とする請求項３に記載の電気ヒーター。
【発明の詳細な説明】
【技術分野】
【０００１】
本発明は、ヒーター用保護網およびこれを用いた電気ヒーターに関するもので、特に、ヒーターの発熱量を増大させることができるヒーター用保護網およびこれを用いた電気ヒーターに関する。
【背景技術】
【０００２】
生活水準の向上に伴い、代表的な室内暖房装置である暖炉において、過去の油類などを使用する方式から代わって電気ヒーターが普遍化しているのが現状である。
【０００３】
社会的需要度の増大により、様々な種類の電気ヒーターが開発されている。
【０００４】
周知のように、安全網により保護される一定空間内の電熱線に電流を流し、そのとき発生する熱によって周りの空気を加熱することがその基本的な作動原理である。
【０００５】
なお、電熱線からの熱をより効率的に発散させるための付属物、その他の関連装置が設けられている。
【０００６】
その代表的な例の一つとして、通常の四角形状の金属材の薄板を曲げて形成した反射板を電熱線の後方に設置した電気ヒーターが普及しているが、それほど満足な効果が得られていない。
【０００７】
このような従来の電気ヒーターは、充分な熱量を所望の距離まで充分に送ることができないという問題点があった。
【０００８】
実際に、発生熱量自体を増大させるために電流量を大きくすると、過熱および火事の危険が伴い、その一方で、これによる事故などを意識し、電流量を少なくすると、満足するほど充分な熱量は得られなくなる。
【０００９】
図１は、従来の電気ヒーターの斜視図である。
【００１０】
図１に示されるように、従来の電気ヒーターは、電熱線１１を備える発熱部１と、前記発熱部１を覆うハウジング２とから構成される。
【００１１】
前記ハウジング２は金属板からなっており、前方が開放されていて前記発熱部１で発生した熱を反射させてハウジング２の前方に反射する。
【００１２】
即ち、前記発熱部１で発生した熱のうち、前方ではなく他の方向に放射される熱が金属からなる前記ハウジング２にぶつかって前方に反射するようになる。
【００１３】
従って、前記発熱部１を前記ハウジング２で覆うようにすることで、前記発熱部１のみ存在する装置に比べて、発熱量を増大させて前方に集中させることができる。
【００１４】
また、前記ハウジング２の前方には、安全のために鉄材からなる保護網を取り付けることもできる。
【００１５】
前記保護網は、断面が円形状の一般的な針金などを使用し、格子状に設置するか、または、直線状にぎっしりと配列して前記ハウジング２の前方に取り付ける。
【００１６】
前記保護網は、利用者の身体が前記発熱部１に触れたりして事故を引き起こすことを防止するためのものである。
【発明の開示】
【発明が解決しようとする課題】
【００１７】
しかしながら、このような従来の電気ヒーターは、前記ハウジング２で熱を反射して前方に送り出すが、それだけでは前記ハウジング２の前方に放射される発熱量の増大に限界があった。
【００１８】
また、前記保護網が単に事故を防止するためにのみ使用されているので、発熱量の増大に何の効果ももたらさないなどの問題点があった。
【００１９】
本発明は、上記従来の問題点を解決するためになされたものであって、ハウジングの前方に放射される発熱量を最大に増大させ、保護網が事故防止だけでなく、発熱量の増大にも効果をもたらすヒーター用保護網およびこれを用いた電気ヒーターを提供することを目的とする。
【課題を解決するための手段】
【００２０】
上記目的を達成するために、本発明のヒーター用保護網は、ヒーターの前方に取り付けられる保護網において、前記保護網は、複数個の横反射部と複数個の縦反射部とが互いに格子状に配列されて複数の通気孔を形成し、前記横反射部および縦反射部は、各々前記通気孔の前後方向に長い幅を有することを特徴とする。
【００２１】
ここで、前記横反射部および縦反射部は、各々保護網の中心を向くように傾斜して配置されることを特徴とする。
【００２２】
また、上記目的を達成するために、本発明の電気ヒーターは、発熱部と、前記発熱部を覆い、前方に開放口が形成されたハウジングと、前記開放口に取り付けられる保護網とから構成され、前記保護網は、複数個の横反射部と複数個の縦反射部とが互いに格子状に配列されて複数の通気孔を形成し、前記横反射部および縦反射部は、各々前記通気孔の前後方向に長い幅を有することを特徴とする。
【００２３】
ここで、前記保護網の横反射部および縦反射部は、各々前記発熱部に向き、その延長線上の交点が前記発熱部の後方に形成されるように傾斜して配置されることを特徴とする。
【発明の効果】
【００２４】
本発明のヒーター用保護網およびこれを用いた電気ヒーターによれば、次のような効果が得られる。
【００２５】
前記横反射部および縦反射部にぶつかった熱は、反射して前方に移動するようになるが、前記横反射部および縦反射部がそれぞれ前記発熱部に向き、前記横反射部および縦反射部の延長線上の交点、即ち焦点が前記発熱部の後方に形成されるように傾斜して配置されているところ、熱は、前記横反射部および／または縦反射部に反射回数を最小に減らしながら、反射した熱が四方に反射せずに、前記ハウジングの前方に集中して反射されるようになる。
【００２６】
即ち、前記横反射部および縦反射部に対する熱の入射角と反射角は互いに同一であるが、前記横反射部および縦反射部の焦点が発熱部の後方に形成されるように傾斜して配置することにより、前記横反射部および縦反射部に対する熱の入射角と反射角を最小化し、反射された熱が他の横反射部や縦反射部にぶつかることなく、前記ハウジングの前方に直接移動することができるようにする。
【００２７】
このように熱の反射回数を減らし、熱が四方に放射されることなく前記ハウジングの前方にのみ集中して放射されるようにすることで、凸レンズのような効果、つまり熱がハウジングの前方に集中するようにすることができ、不必要な空間に発散される熱の浪費を最小限に抑え、単位面積当たりの発熱量を最大化することができる。
【００２８】
また、このような発熱量の増大効果を、安全保護のための保護網において実現することにより、保護網は安全保護の役目だけでなく、発熱量の増大効果も同時にもたらすようになる。
【発明を実施するための最良の形態】
【００２９】
以下、添付した図面を参照して本発明について詳細に説明する。
【００３０】
図２は、本発明の実施の形態の一例にかかる電気ヒーターの斜視図である。図３は、本発明の実施の形態の一例にかかる電気ヒーターの分離斜視図である。図４は、図２のＡ−Ａ線から見た断面図である。
【００３１】
従来技術と同一構成部分については同一の参照符号を付した。
【００３２】
図２〜図４に示されるように、本発明の電気ヒーターは、発熱部１と、ハウジング２と、保護網３とから構成されている。
【００３３】
前記発熱部１には、複数の電熱線１１が設置され、電源コードに連結されている。
【００３４】
前記ハウジング２は、前方に行くほど広くなる四角形状であり、前方および後方が開放されている。
【００３５】
前記ハウジング２の後方に前記発熱部１が結合されることにより、前記ハウジング２が前記発熱部１を覆うようにする。
【００３６】
このとき、前記ハウジング２と前記発熱部１とは、一端はヒンジ結合され、他端はフック結合されており、後で簡単に着脱することが可能である。
【００３７】
前記保護網３は、前記ハウジング２の前方に形成された開放口２１に取り付けられる。
【００３８】
前記保護網３は、複数個の横反射部３１と複数個の縦反射部３２とが互いに格子状に配列され、複数個の通気孔３３を形成するようになっている。
【００３９】
前記横反射部３１および縦反射部３２は、両側に平らな面を有する板材からなり、前記平らな面は、前記通気孔３３の前後方向に略平行に配置され、前記横反射部３１および縦反射部３２が前記通気孔３３の前後方向に長い幅を持つように形成される。
【００４０】
即ち、前記保護網３を正面または背面から見ると、格子模様が見えるように形成され、側面、上面および下面から見ると、前記横反射部３１または縦反射部３２の幅、つまり平らな面が見えるように形成される。
【００４１】
前記横反射部３１および縦反射部３２は、前方および／または後方が曲線を描いて形成されている。
【００４２】
即ち、前記横反射部３１および縦反射部３２の前方は、中央部分が前方に凸状に形成されており、後方は中央部分が前方に窪んだ凹状に形成されている。
【００４３】
このような前記保護網３の大きさは、前記発熱部１より大きく形成することが好ましい。
【００４４】
上述のような前記横反射部３１および縦反射部３２は、各々保護網３の中心、つまり前記発熱部１に向くように傾いて配置される。
【００４５】
このとき、前記傾いた各横反射部３１が延長されたときに出会う点（延長線上の交点）および傾いた各縦反射部３２が延長されたときに出会う点（延長線上の交点）、つまり前記横反射部３１および縦反射部３２の各々の焦点は、前記発熱部１の後方に形成されるようにする。
【００４６】
また、前記横反射部３１および縦反射部３２の両端は、前記ハウジング２に挿入し易くするため、前記ハウジング２の傾斜角に対応して傾いて形成されている。
【００４７】
このような前記保護網３の外郭形状は、前記ハウジング２の開放口２１の形状により四角形以外に円形、多角形など様々な形状に変形することが可能である。
【００４８】
前記ハウジング２の前方周縁にはフランジ２２が形成され、前記保護網３を前記ハウジング２の開放口２１に挿入した後、前記フランジ２２を折り曲げて前記保護網３を固定させるようにする。
【００４９】
以下、このような構成から成る本発明の電気ヒーターおよび保護網３を取り付けた後の熱の移動について説明する。
【００５０】
前記発熱部１から発生した熱の一部は、前記ハウジング２の前方に直接移動し、また一部は、前記ハウジング２に反射して前記ハウジング２の前方に移動するようになる。
【００５１】
前記ハウジング２の前方に移動した熱は、前記保護網３に移動するようになる。
【００５２】
前記ハウジング２の前方に移動した熱の一部は、前記通気孔３３を直接貫通してハウジング２の前方に放射され、また一部は、前記通気孔３３を直接貫通できずに、前記通気孔３３の前後方向に長い幅を有するように形成された前記横反射部３１および縦反射部３２にぶつかるようになる。
【００５３】
前記横反射部３１および縦反射部３２にぶつかった熱は、反射しながら前方に移動するようになるが、前記横反射部３１および縦反射部３２がそれぞれ前記発熱部１に向くように傾いて配置されており、前記横反射部３１および縦反射部３２の焦点が、前記発熱部１の後方に形成されるように配置されているところ、前記熱は、前記横反射部３１および／または縦反射部３２に反射回数を最小限に減らしながら反射した熱が四方に反射せずに前記ハウジング２の前方に集中して反射されるようになる。
【００５４】
即ち、前記横反射部３１および縦反射部３２に対する熱の入射角と反射角は互いに同一であるが、前記横反射部３１および縦反射部３２の焦点が発熱部１の後方に形成されるように傾斜して配置することにより、図４の矢印で示すように、前記横反射部３１および縦反射部３２に対する熱の入射角と反射角を最小化し、反射した熱が他の横反射部３１や縦反射部３２にぶつかることなく、前記ハウジング２の前方に直接移動することができるようにする。
【００５５】
このように熱の反射回数を減らし、熱が四方に放射されることなく、前記ハウジング２の前方にのみ集中放射されるようにすることにより、凸レンズのような効果、つまり熱がハウジング２の前方に集中するようにし、熱の浪費を最小に抑え、単位面積当たりの発熱量を最大化することができる。
【００５６】
前記保護網３の内側および外側の曲率は、ヒーターの大きさや用途により多様に変更して使用するようにする。
【００５７】
このような本発明の保護網は、電気ヒーターだけでなく、各種の熱を発散する装置および光を発散する装置にも採用することができる。
【００５８】
本発明によるヒーター用保護網およびこれを用いた電気ヒーターは、上記の実施の形態に限られるものではない。本発明の技術的な範囲内で多様に変形し、実施することが可能である。
【図面の簡単な説明】
【００５９】
【図１】従来の電気ヒーターの斜視図である。
【図２】本発明の実施の形態の一例にかかる電気ヒーターの斜視図である。
【図３】本発明の実施の形態の一例にかかる電気ヒーターの分離斜視図である。
【図４】図２のＡ−Ａ線から見た断面図である。
【符号の説明】
【００６０】
１：発熱部
１１：電熱線
２：ハウジング
２１：開放口
２２：フランジ
３：保護網
３１：横反射部
３２：縦反射部
３３：通気孔
【図１】
2008139006.tif 000003
【図２】
2008139006.tif 000004
【図３】
2008139006.tif 000005
【図４】
2008139006.tif 000006